(57)【要約】  【課題】  筐体と一体に成形されたホルダ内に取り付けられた表示手段が、筐体の内側から容易に交換できる電子機器の表示装置を提供する。  【解決手段】  筐体１の前面に設けられた前面パネル１ｃと、前面パネル１ｃの前面側から表示手段４を取り付け可能とする開口部１ｄを有する表示手段取り付け部５と、開口部１ｄの後方に位置し、かつ切り離し自在な連結部５ｅを介して筐体１と一体成形されたホルダ５ａと、表示手段取り付け部５に取り付けられた表示手段４の前面を覆うように前面パネル１ｃに固着された透明板１０とから構成したもので、表示手段４の不良や劣化等により交換する場合は、筐体１の内側から連結部５ｅを切り離すことによりホルダ５ａとともに表示手段４を取り外すことができるため、表示手段４の交換作業が容易に行える。【選択図】  図２
2005173194.tif 000002
【特許請求の範囲】
【請求項１】
筐体の前面に設けられた前面パネルと、前記前面パネルに取り付けられた表示手段とを有する電子機器の表示装置であって、前記前面パネルの前面側から前記表示手段を取り付け可能とする開口部を有する表示手段取り付け部と、前記開口部の後方に位置し、かつ切り離し自在な連結部を介して前記筐体と一体成形されて前記表示手段を収容するホルダと、前記表示手段取り付け部に取り付けられた表示手段の前面を覆うように前記前面パネルに固着された透明板とを具備したことを特徴とする電子機器の表示装置。
【請求項２】
前記連結部の切り離し部分を、前記前面パネルの後方に突設してなる請求項１に記載の電子機器の表示装置。
【請求項３】
前記開口部の近傍に、前記連結部より切り離した前記ホルダを前記表示手段取り付け部に固定する修復用係止爪を、突設してなる請求項１または２に記載の電子機器の表示装置。
【請求項４】
前記表示手段を、液晶パネルを後方より照明するバックライトを有する直下型バックライト式の液晶表示器により形成し、かつ前記ホルダの底面に前記バックライトの光が透過する窓孔を形成してなる請求項１ないし３の何れかに記載の電子機器の表示装置。
【請求項５】
前記バックライトが実装されたプリント基板と前記ホルダに、前記バックライトと前記窓孔の位置決めを行う位置決めピン及び位置決め孔を設けてなる請求項４に記載の電子機器の表示装置。
【発明の詳細な説明】
【技術分野】
【０００１】
本発明は、主として壁面に取り付けて使用する電子機器の表示装置に関する。
【背景技術】
【０００２】
従来、壁面に取り付けて使用する電子機器の多くは、筺体の表面に前面パネルを備えており、前面パネルには液晶表示器（ＬＣＤ）等よりなる表示手段や、操作ボタン、操作ボタンの名称や操作手順を表示する表示部等が設けられている。
【０００３】
またこの種の電子機器に使用されている液晶表示器には、液晶パネルの後方に設けたバックライトにより液晶パネルを照明する直下型バックライト方式（例えば特許文献１）や、液晶パネルの側方に設けたライトにより液晶パネルを照明するようにしたもの等がある。
【特許文献１】特開２００１−７５４９０号公報。
【０００４】
前記特許文献１に記載された液晶表示装置は、表示パネルとバックライトの間に配置されたホルダを、バックライトの光を拡散させる拡散板と、バックライトに設けたランプホルダとを一体成形することにより形成したもので、拡散板とランプホルダを一体化することにより、部品点数及び組み立てコストの削減が図れる等の効果を有している。
【０００５】
また前記特許文献１に記載された液晶表示装置を電子機器に取り付ける場合、電子機器の筐体の内側よりビス等の固着具を使用して前面パネルの内面にホルダを取り付けており、液晶表示パネルの前面には、液晶パネルを保護する透明板を接着等の手段で取り付けている。
【発明の開示】
【発明が解決しようとする課題】
【０００６】
しかし前記特許文献１に記載された液晶表示装置のように、液晶表示装置のホルダを固着具により前面パネルの内面に取り付けるようにしたものでは、組み立て作業に手間がかかるため組み立てコストが上がると共に、ホルダや固着具等の別部品を必要とするため、部品コストも上がる等の問題がある。
【０００７】
また部品点数を削減するため、前面パネルの内側に筐体と一体にホルダを成形し、筐体の外側より液晶表示器を取り付ける方法もあるが、液晶表示器の前面には透明板が接着等の手段で取り付けられているため、液晶表示器と透明板の間にゴミが侵入して液晶表示器が見にくくなったり、液晶表示器の不良や劣化等の理由で交換する場合、筐体の外側からゴミを取り除いたり、液晶表示器を交換することができない上、筐体を分解して筐体の内側からゴミを取り除いたり、液晶表示器を交換しようとしても、筐体とホルダが一体に成形されているため、筐体の内側からもゴミを取り除いたり、液晶表示器を交換できない等の問題がある。
【０００８】
本発明はかかる従来の問題を改善するためになされたもので、筐体と一体に成形されたホルダ内に取り付けられた表示手段が、筐体の内側から容易に交換できる電子機器の表示装置を提供することを目的とするものである。
【課題を解決するための手段】
【０００９】
本発明の電子機器の表示装置は、筐体の前面に設けられた前面パネルと、前面パネルに取り付けられた表示手段とを有する電子機器の表示装置であって、前面パネルの前面側から表示手段を取り付け可能とする開口部を有する表示手段取り付け部と、開口部の後方に位置し、かつ切り離し自在な連結部を介して筐体と一体成形されて表示手段を収容するホルダと、表示手段取り付け部に取り付けられた表示手段の前面を覆うように前面パネルに固着された透明板とから構成したものである。
【００１０】
前記構成により、表示手段を収容するホルダが筐体と一体に成形してあるため、筐体前面より表示手段を装着するようにしてもホルダを固着具により筐体に固定していた従来の取り付け構造に比べて、組み立て作業に手間がかからないことから組み立てコストの低減が図れると共に、ホルダや固着具等の別部品を必要としないため、部品点数の削減による部品コストの低減が図れるようになる。
【００１１】
また表示手段と透明板の間にゴミが侵入して表示手段が見にくくなったり、表示手段の不良や劣化等の理由で交換する場合は、筐体の内側から連結部を切り離すことによりホルダとともに表示手段を簡単に取り外すことができるため、ゴミを取り除いたり、不良や劣化した表示手段の交換作業が容易に行える。
【００１２】
本発明の電子機器の表示装置は、連結部の切り離し部分を、前面パネルの後方に突設したものである。
【００１３】
前記構成により、特殊な工具を使用せずに連結部を切り離すことができ、しかも、前面パネルを取り付けたまま、筐体の内側から表示手段を取り外ずして、補修作業が容易に行えると共に、連結部を切断する際表示手段や、表示手段取り付け部周辺の電子部品を損傷する心配がない。
【００１４】
本発明の電子機器の表示装置は、開口部の近傍に、連結部より切り離したホルダを、表示手段取り付け部に固定する修復用係止爪を突設したものである。
【００１５】
前記構成により、連結部より切り離したホルダが再利用できるため、新たなホルダや固着具等の別部品が不要になる上、表示手段及びホルダの取り付けがワンタッチで行えるため、修復作業が短時間で容易に行える。
【００１６】
本発明の電子機器の表示装置は、表示手段を、液晶パネルを後方より照明するバックライトを有する直下型バックライト式の液晶表示器により形成し、かつホルダの底面にバックライトの光が透過する窓孔を形成したものでる。
【００１７】
前記構成により、バックライトをホルダの後方に設置したプリント基板に実装可能になる上、バックライトにより表示手段を後方より効率よく照明できるようになる。
【００１８】
本発明の電子機器の表示装置は、バックライトが実装されたプリント基板とホルダに、バックライトと窓孔の位置決めを行う位置決めピン及び位置決め孔を設けたものである。
【００１９】
前記構成により、プリント基板を組み立てる際、プリント基板に実装されたバックライトとホルダに形成された窓孔との位置決めが行えるため、バックライトの組み込み作業が容易かつ精度よく行える。
【発明の効果】
【００２０】
本発明の電子機器の表示装置によれば、表示手段を収容するホルダを筐体と一体に成形してあるため、筐体前面より表示手段を装着するようにしてもホルダを固着具により筐体に固定していた従来の取り付け装置に比べて、組立て作業の手間がかからず、部品点数を削減できると共に組み立て工数及び部品コストの低減が図れる。
【発明を実施するための最良の形態】
【００２１】
本発明を、ホームオートメーション（ＨＡ）システムに使用するコントローラに採用した実施の形態について詳述する。
【００２２】
電子機器の筺体１は、前部筺体１ａと後部筺体１ｂに２分割されていて、全体が偏平な箱形となっており、前部筺体１ａと後部筺体１ｂとが樹脂により別個に成形されていると共に、壁面に取り付けて使用できるようになっている。
【００２３】
前部筺体１ａは図７に示すように、前面パネル１ｃの周囲にフランジ部１ｊを全周に亘って突設した形状となっており、内面の隅角部には、後部筺体１ｂ側より挿入したビス等の固着具（図示せず）を螺挿する円筒状のボス１ｅが突設され、その近傍には電子部品（図示せず）や、バックライト２を構成する複数個のＬＥＤ２ａが実装されたプリント基板３を固着具９により固定する円筒状のボス１ｆが突設されている。
【００２４】
前部筺体１ａに設けられた前面パネル１ｃは図１及び図２に示すように、液晶表示器よりなる表示手段４を取付ける表示手段取り付け部５と、ＨＡシステムを構成する電気機器、例えばエアコンディショナや照明器具、風呂釜等の名称や種々等を表示する書き替え自在な表示パネル６及び操作ボタン群７等が設けられている。
【００２５】
表示手段取り付け部５は、表示手段４を収容するホルダ５ａが前部筺体１ａを成形する際に一体成形されている。
【００２６】
ホルダ５ａは、前面パネル１ｃに開口された長方形状の開口部１ｄの後側に位置していて、表示手段４が収容できる大きさの凹部により形成されており、ホルダ５ａの底面には、図１１ないし図１３に示すように、角形に形成された複数個の窓孔５ｂが設けられている。
【００２７】
ホルダ５ａの各窓孔５ｂは、プリント基板３に実装されたバックライト２の各ＬＥＤ２ａと合致するように形成されていて、ホルダ５ａ内に収容された表示手段４の液晶パネル４ａを後方から照明するようになっている。
【００２８】
液晶パネル４ａは、下辺側に液晶パネル４ａとプリント基板３を電気的に接続するフラットケーブル８が取り付けられており、フラットケーブル８の先端は、前面パネル１ｃの開口部１ｄに形成されたケーブル引き込み口１ｇより筐体１内に引き込まれている。
【００２９】
前面パネル１ｃの開口部１ｄには、液晶パネル４ａの上辺側角部と合致する位置に、液晶パネル５ａの角部を係止する図４に示すような係止爪５ｃが、そして液晶パネル４ａの下辺と合致する位置に、液晶パネル４ａの下辺を係止する図６に示すような係止爪５ｄが突設されている。
【００３０】
液晶パネル４ａを係止する係止爪５ｃ，５ｄは、前面パネル１ｃの前側から表示手段取り付け部５に嵌合された液晶パネル４ａを、ホルダ５ａの開口縁に突設されたフランジ部５ｆとの間で固定するためのもので、前面パネル１ｃの開口部１ｄとホルダ５ａのフランジ部５ｆ外周縁との間は、複数の連結部５ｅにより連設されていると共に、フランジ部５ｆの外縁部には図１１に示すように、ホルダ５ａと液晶パネル４ａを位置決めする複数の位置決め突起５ｉが突設されている。
【００３１】
連結部５ｅは、前部筺体１ａと一体成形されたホルダ５ａを、連結部５ｅにて切り離すことにより、ホルダ５ａが前部筺体１ａより分離できるノックアウト構造を実現するもので、ホルダ５ａのフランジ部５ｆと前面パネル１ｃの開口部１ｄの間を連結している。
【００３２】
各連結部５ｅは、前部筺体１ａの内側からホルダ５ａが分離しやすいように、図８及び図９に示すように底辺が上部筺体１ａの内側へ突出するほぼコ字形に形成されていて、開口部１ｄの上辺に例えば２個所、下辺に２個所設けられており、これら連結部５ｅを除く開口部１ｄの開口縁とホルダ５ａの開口縁の間には、ほぼ全周に亘ってスリット５ｇが形成されている。
【００３３】
またホルダ５ａのフランジ部５ｆ裏面には、プリント基板３に形成された位置決め孔３ａに嵌合することにより、プリント基板３に実装されたバックライト２の各ＬＥＤ２ａとホルダ５ａの窓孔５ｂを位置決めする複数の位置決め突起５ｈが突設され、前面パネル１ｃの内面には、プリント基板３の端部を係止する係止爪１ｈが突設されている。
【００３４】
一方前面パネル１ａの前面には、表示手段取り付け部５及び操作ボタン群７を構成する操作ボタン７ａの１個を囲むように枠状の突条１ｉが突設されていて、この突条１ｉ内に透明板１０が接着等の手段で固着されている。
【００３５】
透明板１０は、表示手段取り付け部５に取り付けられた表示手段４の液晶パネル４ａを保護するもので、表示手段４全体を覆える大きさとなっており、操作ボタン７ａと重なる部分には、操作ボタン７ａが突出する円孔１０ａが形成されている。
【００３６】
操作ボタン群７は、操作ボタン７ａとは別に、例えば４個の操作ボタン７ｂ，７ｃ，７ｄ，７ｅが縦方向に配列されており、これら操作ボタン７ｂないし７ｅには数字が表示され、これら操作ボタン７ｂないし７ｅにより電子機器（コントローラ）に接続されている家庭用電気機器の電源をオン、オフできるようになっている。
【００３７】
また筺体１の裏面には、家庭用電気機器とコントローラを接続する接続端子群（図示せず）が設けられている。
【００３８】
次に前記構成された電子機器の表示手段取り付け構造の作用を説明する。
【００３９】
電子機器の組み立ては、別個に成形された前部筺体１ａと後部筺体１ｂのうち、前面パネル１ｃを有する前部筺体１ａ側に表示手段４や表示パネル６、操作ボタン群７、電子部品が実装されたプリント基板３等を取り付けて行う。
【００４０】
前面パネル１ｃの表示手段取り付け部５に表示手段４を取り付けるに当っては、前面パネル１ｃの前面を図２に示すように上向きにして、表示手段４の液晶パネル４ａに接続されたフラットケーブル８の先端を、開口部１ｄに形成したケーブル引き込み口１ｇより上部筺体１ａ内へ挿入した状態で、表示手段取り付け部５に前面パネル１ｃの前側より液晶パネル４ａを嵌合し、液晶パネル４ａの上辺側の角部を係止爪５ｃとホルダ５ａの周辺部に形成されたフランジ部５ｆとの間で挟着し、また液晶パネル４ａの下辺を係止爪５ｄとフランジ部５ｆとの間で挟着して、前面パネル１ｃの表示手段取り付け部５に表示手段４を取り付ける。
【００４１】
表示手段４の取り付けが完了したら、接着等の手段で透明板１０を枠状の突条１ｉ内に固着して、液晶パネル４ａの前面を透明板１０で覆うことにより、液晶パネル４ａが傷付いたり、破損しないように保護する。
【００４２】
またプリント基板３や操作ボタン群７等は、前部筺体１ａの内側から前面パネル１ｃに取り付けるが、プリント基板３の取り付けに当っては、まず液晶パネル４ａより前部筺体１ａ内に延出されたフラットケーブル８をプリント基板３の所定の場所に接続し、次に前面パネル１ｃの内面に突設されたボス１ｆ上にプリント基板３を載置した状態で、位置決めピン５ｈの先端をプリント基板３の位置決め孔３ａに嵌合して、プリント基板３に実装されたバックライト２のＬＥＤ２ａがホルダ５ａの窓孔５ｂの中央になるよう位置決めすると同時に、プリント基板３の端部を係止爪１ｈに係止する。
【００４３】
次にこの状態でプリント基板３に形成した取り付け孔３ａより挿入した固着具９をボス１ｅに螺挿して、前面パネル１ｃの内面にプリント基板３を取り付けるもので、プリント基板３の取り付けが完了したら、プリント基板３に実装されたコネクタ３ｂ等により、筐体１内のその他のプリント基板（図示せず）と必要な配線を行うことにより、電子機器の組み立てを完了するもので、表示手段４のホルダ４ａは、上部筺体１ａを樹脂により成形する際、前面パネル１ｃの内側に一体成形されているため、表示手段４のホルダ４ａをビス等の固着具を使用して前部筺体１ａに取付ける組立作業が不要となり、これによって組み立て工数の削減が図れると共に、上部筺体１ａとホルダ４ａが一体化されることにより部品点数の削減も図れる。
【００４４】
一方電子機器を壁面等に取り付けて使用している間に、表示手段４の液晶パネル４ａと透明板１０の間にゴミ等が入って液晶パネル４ａに表示された情報が見にくくなったり、液晶パネル４ａが不良品や劣化のために交換する必要が生じた場合、液晶パネル４ａを取り外すことになるが、液晶パネル４ａの前面には透明板１０が接着等の手段で取り付けられているため、前面パネル１ｃの前面側から液晶パネル４ａを取り外すことができない。
【００４５】
そこでまず前部筺体１ａと後部筺体１ｂを固定している固着具を外して、前部筺体１ａと後部筺体１ｂを分離する。
【００４６】
次に前部筺体１ａの内側に固着具９により固定されているプリント基板３を外した後、前面パネル１ｃに形成された表示パネル取り付け部５の開口部１ｄとホルダ５ａの周辺部を連結している連結部５ｅをニッパ等の工具を使用して切断する。
【００４７】
連結部５ｅはコ字状に形成されていて、底部が上部筺体１ａ内へ突出されているため、ニッパ等の工具で容易に切断できる上、切断時周辺部の電子部品や液晶パネル４ａを工具で損傷することがない。
【００４８】
複数の連結部５ｅを全て切断することにより、ホルダ５ａが上部筺体１ａの内側へ外れるので、液晶パネル４ａを内側から取り外すことができる。この状態で液晶パネル４ａと透明板１０との間に侵入したゴミ等を取り除いたり、不良または劣化した液晶パネル４ａを新たな液晶パネル４ａと交換する。
【００４９】
新たな液晶パネル４ａと交換した場合は、新たな液晶パネル４ａに接続されているフラットケーブル８をプリント基板３に取り付けた後、液晶パネル４ａの取り付けを行うが、以下の作業は液晶パネル４ａと透明板１０の間に侵入したゴミ等を取り除いた後の修復作業と同じで、まず上部筐体１ａの表示手段取り付け部５の裏側から液晶パネル４ａを裏向きにして開口部１ｄに設けられた係止爪５ｄ，５ｃに当接するように置き、次にホルダ５ａを図１０に示すように開口部１ｄに合うように挿入し、かつ液晶パネル４ａが位置決め突起５ｉの内側でフランジ部５ｆに当接するように置く。
【００５０】
液晶パネル４ａ及びホルダ５ａを装着したら、ホルダ５ａのフランジ部５ｆ裏面に突設された位置決めピン５ｈにプリント基板３の位置決め孔３ａを嵌挿して、プリント基板３の端部を係止爪１ｈで係止して固着具９により前部筐体１ａのボス１ｆに固定する。この状態でプリント基板３に実装されたバックライト２の各ＬＥＤ２ａはホルダ５ａの窓孔５ｂの中央となるように取り付けられる。以上のように液晶パネル４ａとホルダ５ａ及びプリント基板３を取り付けた後、前部筺体１ａと後部筺体１ｂを再び組み立て一体化すればよく、予め前部筺体１ａと表示手段４のホルダ５ａが一体的に成形されていても、表示手段４の交換作業が可能になる。
【産業上の利用可能性】
【００５１】
本発明の電子機器の表示手段取り付け構造は、表示手段を収容するホルダを筐体と一体に成形してあるために、筐体前面より表示手段を装着するようにしても別体のホルダを固着具により筐体に固定していた従来の取り付け装置に比べて、組み立て作業の手間がかからず組み立て工数および部品工数の低減が図れるために、ＨＡに使用する電子機器に限らず、着脱自在な表示手段を有する電子機器全般に適用できる。
【図面の簡単な説明】
【００５２】
【図１】本発明の実施の形態になる電子機器の表示装置の正面図
【図２】本発明の実施の形態になる電子機器の表示装置の分解斜視図
【図３】本発明の実施の形態になる電子機器の表示装置の表示手段を取り外した状態の斜視図
【図４】図３のＡ円内の拡大図
【図５】本発明の実施の形態になる電子機器の表示装置の表示手段を取り外した状態の斜視図
【図６】図５のＢ円内の拡大図
【図７】本発明の実施の形態になる電子機器の表示装置の分解斜視図
【図８】本発明の実施の形態になる電子機器の表示装置の裏面側の斜視図
【図９】図８のＣ円内の拡大図図
【図１０】本発明の実施の形態になる電子機器の表示装置の表示手段取り付け部の裏面側の平面図
【図１１】本発明の実施の形態になる電子機器の表示装置に使用したホルダの上面側の斜視図
【図１２】本発明の実施の形態になる電子機器の表示装置に使用したホルダの平面図
【図１３】本発明の実施の形態になる電子機器の表示装置に使用したホルダの裏面側の斜視図
【符号の説明】
【００５３】
１      筐体
１ｃ    前面パネル
１ｄ    開口部
２      バックライト
３      プリント基板
３ａ    位置決め孔
４      表示手段
５      表示手段取り付け部
５ａ    ホルダ
５ｂ    窓孔
５ｃ    係止爪
５ｄ    係止爪
５ｅ    連結部
５ｈ    位置決めピン
１０      透明板
【図１】
2005173194.tif 000003
【図２】
2005173194.tif 000004
【図３】
2005173194.tif 000005
【図４】
2005173194.tif 000006
【図５】
2005173194.tif 000007
【図６】
2005173194.tif 000008
【図７】
2005173194.tif 000009
【図８】
2005173194.tif 000010
【図９】
2005173194.tif 000011
【図１０】
2005173194.tif 000012
【図１１】
2005173194.tif 000013
【図１２】
2005173194.tif 000014
【図１３】
2005173194.tif 000015